(57)【要約】【課題】温調軸を移動させて温度の設定ないし設定変更のための操作を行う際、バイアスばね及び感温ばねによる変形抵抗を受けることなく、軽やかにその操作を行うことのできる湯水混合弁を提供する。【解決手段】水側弁部２２と湯側弁部２４とを備えた主弁２０と、主弁２０の位置を移行させる温調軸３６と、感温ばね４８と、バイアスばね５０とを有する自動温度調節機能付の湯水混合弁において、温調軸３６により主弁２０を軸方向に相対移動可能に保持させるとともに、感温ばね４８及びバイアスばね５０を温調軸３６に組み付けて保持させ、それら感温ばね４８，バイアスばね５０，主弁２０及び温調軸３６にて弁ユニット５２を構成して全体を一体に移動可能とする。【選択図】        図１
2008115890.tif 000002
【特許請求の範囲】
【請求項１】
(ａ)軸方向に離隔して設けられた水側弁部と湯側弁部とを備えた主弁と、(ｂ)軸方向移動により該水側弁部，湯側弁部の開度を互いに逆の関係で大きく又は小さく変化させる方向に該水側弁部，湯側弁部の位置を移行させる温調軸と、(ｃ)該水側弁部の開度を大，湯側弁部の開度を小とする方向に付勢力を及ぼし且つ混合水の温度上昇に感応して付勢力を増大させる感温ばねと、(ｄ)該感温ばねとは逆向きの付勢力を及ぼすバイアスばねと、を有する自動温度調節機能付の湯水混合弁において
前記温調軸により、前記主弁又は該主弁における前記水側弁部，湯側弁部の開度を制御するパイロット弁を該温調軸に沿って軸方向に相対移動可能に保持させるとともに、前記感温ばね及びバイアスばねを、該主弁又は該パイロット弁に対し互いに逆向きに付勢力を及ぼす状態に前記温調軸に組み付けて保持させ、それら感温ばね，バイアスばね，主弁又はパイロット弁及び温調軸を含んで弁ユニットを構成し、全体を一体に移動可能となしたことを特徴とする湯水混合弁。
【請求項２】
請求項１において、前記弁ユニットの温調軸には、前記感温ばねとバイアスばねとの付勢力の釣合い位置の変化に応じ位置移動することで行う前記主弁の自動温度調節の動作範囲を設定範囲に制限するストッパを設けたことを特徴とする湯水混合弁。
【請求項３】
請求項２において、前記ストッパが、混合水温度を上昇させる方向への前記温調軸の移動時に、前記主弁又はパイロット弁に対して前記バイアスばねを介さずに直接又は間接に当って該主弁の前記自動温度調節の動作を停止状態とした上で前記水側弁部を強制全閉、前記湯側弁部を強制全開とする方向に該主弁を強制移動させる湯側ストッパを有していることを特徴とする湯水混合弁。
【請求項４】
請求項２，３の何れかにおいて、前記ストッパが、混合水温度を低下させる方向への温調軸の移動時に、前記主弁又はパイロット弁に対して前記感温ばねを介さずに直接又は間接に当って該主弁の前記自動温度調節の動作を停止状態とした上で前記湯側弁部を強制全閉、水側弁部を強制全開とする方向に該主弁を強制移動させる水側ストッパを有していることを特徴とする湯水混合弁。
【請求項５】
請求項３において、前記水側弁部を対応する水側弁座に押し付けることで該水側弁部を強制全閉するものとなしてあることを特徴とする湯水混合弁。
【請求項６】
請求項４において、前記湯側弁部を対応する湯側弁座に押し付けることで該湯側弁座を強制全閉するものとなしてあること特徴とする湯水混合弁。
【請求項７】
請求項５において、操作力の入力部から前記温調軸の前記湯側ストッパ及び前記水側弁部，水側弁座を経て弁ケースに到る操作力の伝達経路上に、該水側弁部を該水側弁座に強制的に押し付けてからの過剰な操作力を吸収する緩衝機構を設けたことを特徴とする湯水混合弁。
【請求項８】
請求項６において、操作力の入力部から前記温調軸の前記水側ストッパ及び前記湯側弁部，湯側弁座を経て弁ケースに到る操作力の伝達経路上に、該湯側弁部を該湯側弁座に強制的に押し付けてからの過剰な操作力を吸収する緩衝機構が設けてあることを特徴とする湯水混合弁。
【請求項９】
請求項７，８の何れかにおいて、前記緩衝機構が軸方向に撓んで過剰な操作力を吸収する緩衝ばねを有していることを特徴とする湯水混合弁。
【請求項１０】
請求項３において、前記水側弁部を筒形弁部となして弁ケースの内面に沿って全開位置から全閉到達位置、更に該全開到達位置を超える位置まで軸方向に移動可能となすとともに、該全閉到達位置で及び該全閉到達位置を越えてから、該水側弁部の外面と前記弁ケースの内面との間に介在させた弾性シール部材にてそれら水側弁部の外面と弁ケースの内面とを径方向に水密にシールして、該水側弁部を全閉状態に維持するようになしたことを特徴とする湯水混合弁。
【請求項１１】
請求項４において、前記湯側弁部を筒形弁部となして弁ケースの内面に沿って全開位置から全閉到達位置、更に全閉到達位置を超える位置まで軸方向に移動可能となすとともに、該全閉到達位置で及び該全閉到達位置を超えてから、該湯側弁部の外面と前記弁ケースの内面との間に介在させた弾性シール部材にてそれら湯側弁部と弁ケースとの間を径方向に水密にシールして、該湯側弁部を全閉状態に維持するようになしたことを特徴とする湯水混合弁。
【発明の詳細な説明】
【技術分野】
【０００１】
この発明は湯水混合弁に関し、特に自動温度調節機能付の湯水混合弁に関する。
【背景技術】
【０００２】
従来、湯水混合弁として混合室に感温ばねを備えて成る自動温度調節機能付（サーモスタット式）のものが広く用いられている。
この自動温度調節機能付の湯水混合弁として次のようなもの、即ち(ａ)軸方向に離隔して設けられた水側弁部と湯側弁部とを備えた主弁と、 (ｂ)軸方向移動により水側弁部，湯側弁部の開度を互いに逆の関係で大きく又は小さく変化させる方向に、水側弁部，湯側弁部の位置を移行させる温調軸（温度調節軸）と、(ｃ)水側弁部の開度を大，湯側弁部の開度を小とする方向に付勢力を及ぼし且つ混合水の温度上昇に感応して付勢力を増大させる感温ばねと、(ｄ)感温ばねとは逆向きの付勢力を及ぼすバイアスばねと、を有し、それら感温ばねとバイアスばねの付勢力の釣合い位置の変化に基づいて上記水側弁部，湯側弁部の位置を移動させ、混合水の温度を自動的に調節する形式の湯水混合弁が公知である。
例えば下記特許文献１に、この種形式の自動温度調節機能付の湯水混合弁が開示されている。
図１０はその具体例を示している。
【０００３】
同図において２００，２０２は弁ケース２０４に形成された水流入通路，湯流入通路であり、２０６は軸方向に離隔して設けられた水側弁部２０８，湯側弁部２１０及びそれらを軸方向に連繋する連繋部２１２を備えた主弁である。
弁ケース２０４には、これら水側弁部２０８，湯側弁部２１０の間の位置において、水側弁部２０８，湯側弁部２１０に各対応して水側弁座２１４，湯側弁座２１６が設けられており、それらに対し水側弁部２０８，湯側弁部２１０がそれぞれ当接するようになっている。
【０００４】
主弁２０６は、第１バイアスばね２１８，第２バイアスばね２２０にて図中左向き、即ち水側弁部２０８を閉弁させる方向に付勢されており、また混合室２２２内に設けられた形状記憶合金から成る感温ばね２２４により、これとは反対方向の図中右向き、即ち湯側弁部２１０を閉弁させる方向に付勢されている。
【０００５】
ここで感温ばね２２４は、図中左端を弁ケース２０４の一部をなすばね受け２３４に当接させ、また右端を湯側弁部２１０、即ち主弁２０６に当接させている。
一方第１バイアスばね２１８は、図中左端を水側弁部２０８即ち主弁２０６に当接させ、また第１バイアスばね２１８と直列に配置された第２バイアスばね２２０は、右端を後述のストッパリング２２８を介して後述の進退部材２２３に当接させている。
この湯水混合弁では、水流入通路２００を通じて流入した水と、湯流入通路２０２を通じて流入した湯とが図中左向きに流れて混合室２２２で混合され、その混合水が吐水部に向けて図中左方向に流出する。
【０００６】
２３０は回転操作軸で、この回転操作軸２３０を回転させることで、上記主弁２０６から図中右向きに突き出し、主弁を保持した温調軸２３２が図中左右方向の軸方向に移動して、主弁２０６の位置、即ち水側弁部２０８及び湯側弁部２１０の位置を移動させる。
ここで回転操作軸２３０は、弁ケース２０４内部において円筒部２２６を有している
【０００７】
２２３は操作力伝達部材としての円筒形状をなす進退部材で、その外周面に形成された雄ねじが円筒部２２６の内周面に形成された雌ねじに螺合され、操作軸２３０の回転によってねじ送りで図中左右方向に前進後退するようになっている。
【０００８】
この湯水混合弁では、回転操作軸２３０を回転操作することで進退部材２２３が前進及び後退移動し、このとき共に移動するストッパリング２２８によって、第１バイアスばね２１８及び第２バイアスばね２２０の付勢力が強く又は弱く変更され、これにより主弁２０６の図中左右方向の位置、詳しくは第１バイアスばね２１８及び第２バイアスばね２２０と感温ばね２２４との付勢力の釣合い位置が左右方向にシフト（移行）せしめられる。即ち湯水混合弁における混合水の温度が所望温度に設定されないしは設定変更される。
【０００９】
この湯水混合弁では、主弁２０６が図中左向きに一杯まで移動して水側弁部２０８が水側弁座２１４に当接することで、水側弁部２０８が全閉、湯側弁部２１０が全開となり、また逆方向に一杯まで移動して湯側弁部２１０が湯側弁座２１６に当接することで、湯側弁部２１０が全閉，水側弁部２０８が全開状態となる。
【００１０】
またそれらの中間位置において水側弁部２０８及び湯側弁部２１０を開き且つその開度を変化させて水，湯の流入量を変化させる。
具体的には、湯側弁部２１０が全閉、水側弁部２０８が全開状態の下で回転操作軸２３０を回転（正方向回転）操作すると、第１バイアスばね２１８，第２バイアスばね２２０の付勢力が強まって主弁２０６が図中左方向にシフトさせられる。
そしてそのシフトした状態において第１バイアスばね２１８，第２バイアスばね２２０による左向きの付勢力と、感温ばね２２４による右向きの付勢力とが釣合った状態となり、その状態で水流入通路２００及び湯流入通路２０２から流入する水と湯の混合水温度が変動すると、これに伴って感温ばね２２４が付勢力を増減させて、主弁２０６を左右方向に微動させる。これにより混合水温度が設定温度に維持される。
【００１１】
また一方回転操作軸２３０を逆方向に回転操作すると、第１バイアスばね２１８及び第２バイアスばね２２０の付勢力が低下し、これにより主弁２０６が図中右向きにシフトさせられる。そしてそのシフト位置において、感温ばね２２４の温度感知に基づく付勢力の増減によって混合水温度が自動調節される。
【００１２】
しかしながらこの湯水混合弁は、回転操作軸２３０を回転させて進退部材２２３を図中左方向に押し込み、第１バイアスばね２１８，第２バイアスばね２２０及び感温ばね２２４を収縮方向に撓ませながら温調軸２３２を移動させるものであることから、その際に第１バイアスばね２１８，第２バイアスばね２２０及び感温ばね２２４の変形抵抗力が働き、これにより温度調節のための操作が重くなるといった問題が内在していた。
【００１３】
【特許文献１】特開２００１−４０５０号公報
【発明の開示】
【発明が解決しようとする課題】
【００１４】
本発明は以上のような事情を背景とし、温調軸を移動させて温度の設定ないし設定変更のための操作を行う際、バイアスばね及び感温ばねによる変形抵抗を受けることなく軽やかにその操作を行うことのできる湯水混合弁を提供することを目的としてなされたものである。
【課題を解決するための手段】
【００１５】
而して請求項１のものは、(ａ)軸方向に離隔して設けられた水側弁部と湯側弁部とを備えた主弁と、(ｂ)軸方向移動により該水側弁部，湯側弁部の開度を互いに逆の関係で大きく又は小さく変化させる方向に該水側弁部，湯側弁部の位置を移行させる温調軸と、(ｃ)該水側弁部の開度を大，湯側弁部の開度を小とする方向に付勢力を及ぼし且つ混合水の温度上昇に感応して付勢力を増大させる感温ばねと、(ｄ)該感温ばねとは逆向きの付勢力を及ぼすバイアスばねと、を有する自動温度調節機能付の湯水混合弁において、前記温調軸により、前記主弁又は該主弁における前記水側弁部，湯側弁部の開度を制御するパイロット弁を該温調軸に沿って軸方向に相対移動可能に保持させるとともに、前記感温ばね及びバイアスばねを、該主弁又は該パイロット弁に対し互いに逆向きに付勢力を及ぼす状態に前記温調軸に組み付けて保持させ、それら感温ばね，バイアスばね，主弁又はパイロット弁及び温調軸を含んで弁ユニットを構成し、全体を一体に移動可能となしたことを特徴とする。
【００１６】
請求項２のものは、請求項１において、前記弁ユニットの温調軸には、前記感温ばねとバイアスばねとの付勢力の釣合い位置の変化に応じ位置移動することで行う前記主弁の自動温度調節の動作範囲を設定範囲に制限するストッパを設けたことを特徴とする。
【００１７】
請求項３のものは、請求項２において、前記ストッパが、混合水温度を上昇させる方向への前記温調軸の移動時に、前記主弁又はパイロット弁に対して前記バイアスばねを介さずに直接又は間接に当って該主弁の前記自動温度調節の動作を停止状態とした上で前記水側弁部を強制全閉、前記湯側弁部を強制全開とする方向に該主弁を強制移動させる湯側ストッパを有していることを特徴とする。
【００１８】
請求項４のものは、請求項２，３の何れかにおいて、前記ストッパが、混合水温度を低下させる方向への温調軸の移動時に、前記主弁又はパイロット弁に対して前記感温ばねを介さずに直接又は間接に当って該主弁の前記自動温度調節の動作を停止状態とした上で前記湯側弁部を強制全閉、水側弁部を強制全開とする方向に該主弁を強制移動させる水側ストッパを有していることを特徴とする。
【００１９】
請求項５のものは、請求項３において、前記水側弁部を対応する水側弁座に押し付けることで該水側弁部を強制全閉するものとなしてあることを特徴とする。
【００２０】
請求項６のものは、請求項４において、前記湯側弁部を対応する湯側弁座に押し付けることで該湯側弁座を強制全閉するものとなしてあること特徴とする。
【００２１】
請求項７のものは、請求項５において、操作力の入力部から前記温調軸の前記湯側ストッパ及び前記水側弁部，水側弁座を経て弁ケースに到る操作力の伝達経路上に、該水側弁部を該水側弁座に強制的に押し付けてからの過剰な操作力を吸収する緩衝機構を設けたことを特徴とする。
【００２２】
請求項８のものは、請求項６において、操作力の入力部から前記温調軸の前記水側ストッパ及び前記湯側弁部，湯側弁座を経て弁ケースに到る操作力の伝達経路上に、該湯側弁部を該湯側弁座に強制的に押し付けてからの過剰な操作力を吸収する緩衝機構が設けてあることを特徴とする。
【００２３】
請求項９のものは、請求項７，８の何れかにおいて、前記緩衝機構が軸方向に撓んで過剰な操作力を吸収する緩衝ばねを有していることを特徴とする。
【００２４】
請求項１０のものは、請求項３において、前記水側弁部を筒形弁部となして弁ケースの内面に沿って全開位置から全閉到達位置、更に該全開到達位置を超える位置まで軸方向に移動可能となすとともに、該全閉到達位置で及び該全閉到達位置を越えてから、該水側弁部の外面と前記弁ケースの内面との間に介在させた弾性シール部材にてそれら水側弁部の外面と弁ケースの内面とを径方向に水密にシールして、該水側弁部を全閉状態に維持するようになしたことを特徴とする。
【００２５】
請求項１１のものは、請求項４において、前記湯側弁部を筒形弁部となして弁ケースの内面に沿って全開位置から全閉到達位置、更に全閉到達位置を超える位置まで軸方向に移動可能となすとともに、該全閉到達位置で及び該全閉到達位置を超えてから、該湯側弁部の外面と前記弁ケースの内面との間に介在させた弾性シール部材にてそれら湯側弁部と弁ケースとの間を径方向に水密にシールして、該湯側弁部を全閉状態に維持するようになしたことを特徴とする。
【発明の作用・効果】
【００２６】
以上のように本発明の湯水混合弁は、感温ばね，バイアスばね，主弁又はパイロット弁を温調軸に組み付けて弁ユニットとなし、温度調節操作の際に温調軸を感温ばね及びバイアスばねを保持したまま、弁ユニット全体として移動可能となしたもので、本発明によれば、温調軸を軸方向に移動させて温度の設定ないし設定変更を行う際、バイアスばねや感温ばねによる変形抵抗を受けず、従って軽やかに温調軸の移動操作、即ち温度の設定ないし変更のための操作を行うことができる。
【００２７】
本発明では、弁ユニットの温調軸に、感温ばねとバイアスばねとの釣合い位置の変化に応じ移動することで行う主弁の自動温度調節の動作範囲を設定範囲に制限するストッパを設けておくことができる（請求項２）。
【００２８】
この場合において上記ストッパは、混合水温度を上昇させる方向への温調軸の移動時に、主弁又はパイロット弁に対してバイアスばねを介さずに直接又は間接に当って主弁の自動温度調節の動作を停止状態とした上で水側弁部を強制弁閉、湯側弁部を強制全開とする方向に主弁を強制移動させる湯側ストッパを有するものとなしておくことができる（請求項３）。
【００２９】
ここで湯側ストッパは、混合水の温度が例えば５０℃に至って後は主弁の自動温度調節の動作を停止させ、水側弁部を強制全閉、湯側弁部を強制全開とする方向に主弁を強制移動させるようにその位置を定めておくことができる。
この場合、混合水温度が５０℃を超えた高温側では主弁による自動温度調節作用は行われない。
【００３０】
例えば５０℃を超えた高温側において混合水の温度を設定温度に自動調節するといった必要性はほとんど無く、単に５０℃を超えた高温の湯であれば殆んどの場合それで十分である。
そこでここでは例えば５０℃等の上限温度を超えた高温側では主弁による自動温度調節作用を行わせないようにした。
このようにすることで、上限を超えた高温側で感温ばね及びバイアスばねが主弁の自動温度調節の動作により伸びたり縮んだりする変形を繰返すことがなくなり、これにより感温ばね及びバイアスばねの耐久性を向上させることができる。
【００３１】
本発明ではまた、上記ストッパが、混合水温度を低下させる方向への温調軸の移動により主弁又はパイロット弁に対して感温ばねを介さずに直接又は間接に当って主弁の自動温度調節の動作を停止状態とした上で、湯側弁部を強制全閉、水側弁部を強制全開とする方向に主弁を強制移動させる水側ストッパを有するものとなしておくことができる（請求項４）。
【００３２】
例えば３０℃よりも低い低温領域では混合水温度を設定温度に自動調節する必要性はほとんど無く、単に３０℃よりも低い低温の水であれば殆んどの場合それで十分である。
そこでこの請求項４では、自動温度調節範囲の設定下限より下の低温領域では主弁による自動温度調節作用を行わせないようにした。
【００３３】
この請求項４によれば、設定温度範囲の下限よりも低温側で主弁が自動温度調節の動作を行うことにより、感温ばねやバイアスばねが伸び縮みを繰り返す無駄を無くして、その繰返しの伸縮による感温ばね及びバイアスばねの耐久性低下を防ぐことができる。
【００３４】
請求項３においては、水側弁部を対応する水側弁座に押し付けることで、水側弁部を強制全閉するものとなしておくことができる（請求項５）。
【００３５】
また請求項４においては、湯側弁部を対応する湯側弁座に押し付けることで、湯側弁座を強制全閉させるものとなしておくことができる（請求項６）。
【００３６】
次に請求項７は、操作力の入力部から温調軸の湯側ストッパ及び水側弁部，水側弁座を経て弁ケースに到る操作力の伝達経路上に、水側弁部を水側弁座に強制的に押し付けてからの過剰な操作力を吸収する緩衝機構を設けたもので、このようにしておけば、その過剰な操作力によって水側弁部が水側弁座に過剰に強く押し付けられてしまい、このことが湯水混合弁の損傷に繋がる問題を良好に解決することができる。
【００３７】
次に請求項８は、請求項６において操作力の入力部から温調軸の水側ストッパ及び湯側弁部、湯側弁座を経て弁ケースに到る操作力の伝達経路上に、湯側弁部を湯側弁座に強制的に押し付けてからの過剰な操作力を吸収する緩衝機構を設けたもので、この請求項８においても、混合水温度を設定温度の下限よりも低温度とする際に過剰な操作力が加わって、その過剰な操作力により湯水混合弁が損傷する問題を回避することができる。
【００３８】
これら緩衝機構を設ける場合において、その緩衝機構を、軸方向に撓んで過剰な操作力を吸収する緩衝ばねを有するものとなしておくことができる（請求項９）。
このようにすれば、過剰な操作力を良好且つ効果的に吸収することができる。
【００３９】
次に請求項１０は、請求項３において水側弁部を筒形弁部となして、弁ケースの内面に沿って全開位置から全閉到達位置及びこれを越える位置まで軸方向に移動可能となすとともに、全閉到達位置で及びこれを超えてから、水側弁部の外面と弁ケースの内面との間に介在させた弾性シール部材にてそれらを径方向に水密にシールして、水側弁部を全閉状態に維持するようになしたもので、この請求項１０によれば、過剰な操作力が加わったときに水側弁部の全閉到達位置からの更なる移動によって、その過剰な操作力を吸収することができ、過剰な操作力を吸収するための緩衝機構を設けることを省略することが可能となる。
【００４０】
一方請求項１１は、湯側弁部を筒形弁部となして、弁ケースの内面に沿って全開位置から全閉到達位置及びこれを越える位置まで軸方向に移動可能となすとともに、全閉到達位置で及びこれを超えてから、湯側弁部と弁ケースとの間に介在させた弾性シール部材にてそれらの間を径方向に水密にシールし、湯側弁部を全閉状態に維持するようになしたもので、この請求項１１においても、湯側弁部の全閉到達位置に到ってからの更なる移動によって、過剰な操作力を良好に吸収することができる。
【００４１】
またこれら請求項１０及び請求項１１によれば、過剰な操作が水側弁部，湯側弁部の移動によって吸収されるため、その際に操作が特に重くなることがないといった利点が得られる。
【発明を実施するための最良の形態】
【００４２】
次に本発明の実施形態を図面に基づいて詳しく説明する。
図１において１０は弁ケースで、この弁ケース１０を径方向に貫通して水流入口１２，湯流入口１４が形成されている。
またその内部には混合室１６が形成されており、水流入口１２及び湯流入口１４から流入した水と湯とが、この混合室１６で混合され、そして混合水が流出部１８から吐水部へと流出するようになっている。
【００４３】
２０は水流入口１２，湯流入口１４に対応した水側弁部２２，湯側弁部２４を一体に有する主弁で、その外周面に弾性シール部材としてのＯリング２６を保持しており、このＯリング２６を介して主弁２０が、その外面（外周面）において弁ケース１０の内面（内周面）に水密に且つ軸方向（図中左右方向）に摺動可能に嵌合されている。
弁ケース１０には、水側弁座２３及び湯側弁座２５がそれぞれ形成されており、水側弁部２２及び湯側弁部２４がこれらに当接することで、水及び湯の流入が遮断される。
【００４４】
主弁２０は、図２に示しているように水側弁部２２及び湯側弁部２４を有する円筒形状の外周側の弁部２８と、その内側の中心筒部３０とを有しており、それらが中心筒部３０から放射状に延びたアーム３２にて一体に連結されている。
ここで中心筒部３０には、その中心位置にこれを軸方向に貫通する挿通孔３４が形成されている。
【００４５】
３６は軸方向の移動により温度を調節する（温度を設定ないし設定変更する）温調軸（温度調節軸）で、小径部３８と中径部４０と大径部４２、及び小径部３８に外嵌状態に組み付けられたフランジ４４付きのスリーブ４６とを有している。
ここでスリーブ４６は、小径部３８の環状溝に弾性的に嵌められた止め輪４７によって軸方向位置が規定されている。
尚このスリーブ４６を小径部３８に一体に形成しておくことも可能である。
そしてその小径部３８に、上記主弁２０が中心の挿通孔３４において軸方向に相対移動可能に遊嵌され組み付けられている。即ち主弁２０が、温調軸３６により軸方向に移動可能に保持されている。
【００４６】
この温調軸３６にはまた、形状記憶合金製のコイルばねからなる感温ばね４８が図中左側において、また鋼製のコイルばねからなるバイアスばね５０が右側において嵌装され組み付けられている。
【００４７】
即ち主弁２０を間にして軸方向の一方の側（左側）に感温ばね４８が、また軸方向の他方の側（右側）にバイアスばね５０が温調軸３６に組み付けられ、それら感温ばね４８，バイアスばね５０が、主弁２０とともに温調軸３６により保持されている。
そしてこれら温調軸３６，主弁２０，感温ばね４８及びバイアスばね５０にて、１つの組付体としての弁ユニット５２が構成されており、温調軸３６の軸方向即ち図中左右方向の移動によって、それら全体が共に移動可能となっている。
【００４８】
ここで感温ばね４８は、その一端（図中左端）をスリーブ４６のフランジ４４に当接させ、また他端（図中右端）を主弁２０の中心筒部３０に当接させていて、その付勢力を主弁２０に対し図中右向き、即ち水側弁部２２を開き、湯側弁部２４を閉じる方向に付勢している。
【００４９】
一方バイアスばね５０は、一端（図中右端）を温調軸３６の大径部４２に、他端（図中左端）を主弁２０の中心筒部３０に当接させて、主弁２０を感温ばね４８の付勢方向とは逆方向の図中左方向に付勢している。
この結果主弁２０は、通常時は感温ばね４８の付勢力と、バイアスばねの付勢力とが釣合う位置に保持される。
【００５０】
感温ばね４８は、図１に示しているように混合室１６内に配置されており、混合室１６内の混合水の温度が上昇すると、図中右向きの付勢力を増大させる。
この結果、感温ばね４８による図中右向きの付勢力と、バイアスばね５０による左向きの付勢力とに差が生じ、この結果主弁２０は、それら感温ばね４８の付勢力とバイアスばね５０の付勢力とが釣合う位置まで図中右方向、即ち水側弁部２２を開き、湯側弁部２４を閉じる方向に移行（シフト）する。
【００５１】
逆に混合水温度が低下すると感温ばね４８の付勢力は低下し、この結果主弁２０は、感温ばね４８の付勢力とバイアスばね５０の付勢力とが釣合う位置まで図中左方向、即ち水側弁部２２を閉じる方向に、また湯側弁部２４を開く方向に移行（シフト）する。
そして混合水温度に感応して付勢力を増減させる感温ばね４８によって、主弁２０が自動的に図中左右方向に微動して、水側弁部２２，湯側弁部２４の開度を調節し、混合水温度を温調軸３６の移動量に応じて設定された目的とする温度に自動調節する。
尚、感温ばね４８とバイアスばね５０とは、合計の長さを一定に保持しつつ付勢力の釣合位置を変化させて、主弁２０を微動させ、自動温度調節の動作を行わせる。
【００５２】
温調軸３６の小径部３８には、回転軸心から偏心した位置に偏心軸部５４が一体に設けられており、この偏心軸部５４が、弁ケース１０側に形成された対応する位置決孔５６に嵌入させられている。
これら偏心軸部５４及び位置決孔５６は温調軸３６の回転規制部をなすものである。
【００５３】
図２にも示しているように、温調軸３６の中径部４０、及び温調軸３６の一部を成すスリーブ４６には、それぞれ径方向に段違いに突出した湯側ストッパ６０及び水側ストッパ６４が、軸方向に離隔した位置に互いに対向して設けられている。
これら湯側ストッパ６０,水側ストッパ６４は、主弁２０の自動温度調節の動作を一定範囲内に制限するもので、主弁２０の中心筒部３０には、湯側ストッパ６０に対向する被当接部５８と水側ストッパ６４に対向する被当接部６２とが、互いに逆向きに設けられている。
【００５４】
主弁２０は、被当接部５８に対し湯側ストッパ６０が当接する位置と、被当接部６２に対し水側ストッパ６４が当接する位置との間で温調軸３６に対し独立して移動することができる。
詳しくは、感温ばね４８の付勢力とバイアスばね５０の付勢力との釣合い位置の変化に応じ、温調軸３６の小径部３８に沿って図中左右方向に移動し、混合水の自動温度調節の動作を行うことができる。
【００５５】
６６は回転操作軸で、弁ケース１０内部に収容された大径の底付きの円筒部６８と、弁ケース１０の嵌合孔７０に回転可能に嵌合された嵌合軸部７２と、弁ケース１０から図中右向きに突出した、ハンドルとの連結用の連結軸部７４とを有しており、その連結軸部７４の外周面に形成されたセレーション部７６において、図示を省略する操作力の入力部としてのハンドルに一体回転状態に連結されるようになっている。
【００５６】
７８は回転操作軸６６の環状溝に弾性的に嵌め合わされた止め輪で、この止め輪７８と円筒部６８とによって、回転操作軸６６の軸方向位置（図中右方向及び左方向の位置）が規制されている。
尚、嵌合軸部７２と嵌合孔７０との間は弾性シール部材としてのＯリング８０により水密にシールされている。
【００５７】
回転操作軸６６の円筒部６８の内側には、回転操作軸６６からの操作力を温調軸３６に伝達する円筒形状の伝達部材８２が挿入されている。
この伝達部材８２の内周面には雌ねじ８４が形成されていて、この雌ねじ８４が、温調軸３６における大径部４２の外周面に形成された雄ねじ８６に螺合されている。
温調軸３６は、この伝達部材８２の回転によりねじ送りで図中左右方向に進退移動させられる。
【００５８】
この伝達部材８２には、径方向外向きの係合突部８８が一体に設けられており、この係合突部８８が、円筒部６８の内周面の係合溝９０に軸方向に摺動可能に嵌合され、これら係合突部８８と係合溝９０との係合作用により、伝達部材８２が回転操作軸６６の円筒部６８と一体に回転するようになっている。
【００５９】
伝達部材８２には、前端部の大径部と後端部の大径部とによって段付部９２ａ，９２ｂが形成されており、それらの間にコイルばねからなる緩衝ばね９４が、一対のワッシャ９６を介して介在させられている。
ここで各ワッシャ９６は、内周側の部分が伝達部材８２の段付部９２ａ,９２ｂに嵌り込んでおり、また外周側の部分が、弁ケース１０の段付部９８ａ及び円筒部６８の段付部９８ｂに軸方向に当接状態には嵌り込んでいる。
【００６０】
緩衝ばね９４は、その付勢力を段付部９８ａ,９８ｂに対し互いに逆方向にワッシャ９６を介して及ぼしている。
尚、この緩衝ばね９４は、回転操作軸６６を回転操作したとき、通常は軸方向に撓むことなく伝達部材８２を円筒部６８に対し軸方向に固定状態として、回転操作軸６６から伝達部材８２に伝へられた回転力にて、温調軸３６をねじ送りで進退移動させる。
本実施形態では、これら緩衝ばね９４，ワッシャ９６，弁ケース１０の段付部９８ａ，円筒部６８の段付部９８ｂ及び伝達部材８２の段付部９２ａ，９２ｂにて緩衝機構１００が構成されている。
尚１０１は温調軸３６と伝達部材８２の螺合部のバックラッシ吸収用のコイルばねである。
【００６１】
次に本実施形態の湯水混合弁の作用を説明する。
図１は混合水の温度を例えば４０℃程に設定した状態を表しており、このとき水側弁部２２，湯側弁部２４はそれぞれ対応する水側弁座２３，湯側弁座２５から離れた開弁状態にあって、水流入通路１２，湯流入通路１４からの水と湯を共に混合室１６へと流入させる。
【００６２】
主弁２０は、この状態の下で混合水温度に感応して付勢力を増減させる感温ばね４８により、その位置を図中左右方向に微動させて水の流入量と湯の流入量との比率を自動的に調節し、混合水温度を設定温度（例えば４０℃）に自動調節する。
【００６３】
この状態から図示しないハンドルを通じて加えた操作力により回転操作軸６６を正方向に回転させると、温調軸３６を含む弁ユニット５２全体が図中左方向に移動し、水側弁部２２の開度を小さく、湯側弁部２４の開度を大きくする方向に主弁２０を図中左方向にシフト（移行）させる。
図３（Ｉ）はこのときの状態を表している。
【００６４】
主弁２０はそのシフト後の位置において、感温ばね４８が混合水温度に感応して付勢力を増減させることで図中左右方向に微動し、混合水温度を設定温度に自動調節する。
尚、図３（Ｉ）に示した状態は例えば混合水温度が４５℃に設定されて主弁２０が自動温度調節の動作を行うときの位置を表している。
【００６５】
図３（II）は、回転操作軸６６を更に正方向に回転させることで温調軸３６，主弁２０を含む弁ユニット５２全体を図中左向きに更に移動させ、混合水の温度を例えば５０℃に設定したときの状態を表している。
このとき、同図に示しているように温調軸３６に設けた湯側ストッパ６０が、主弁２０の被当接部５８に当接した状態となって、ここにおいて主弁２０の自動温度調節の動作が停止状態となる。
即ちこの状態では、混合水温度の上昇によって感温ばね４８が付勢力を増大して伸びようとしても、主弁２０の図中右向きの移動が湯側ストッパ６０にて阻止された状態にあり、主弁２０は混合水の温度変化に応じてその温度を自動調節するための動作を行うことができない。
【００６６】
この状態から回転操作軸６６を更に正方向に回転させて、温調軸３６を図中左方向に移動すると、湯側ストッパ６０と主弁２０の被当接部５８との当接によるストッパ作用で、主弁２０が水側弁部２２を強制全閉、湯側弁部２４を強制全開させる方向に、バイアスばね５０を介さずに直接押され（強制移動させられ）、その直接の押動力により水側弁部２２が強制全閉、湯側弁部２４が強制全開状態に持ち来たされる。
即ち主弁２０が、バイアスばね５０を介さずに温調軸３６により直接湯側を全開とする位置まで押動される。図３（III）はこのときの状態を表している。
【００６７】
この図３（III）の状態から、更に回転操作軸６６が正方向に回転させられると、主弁２０及び温調軸３６が図３（III）に示す位置から更に左方向に移動することができないため、ここにおいて緩衝機構１００における緩衝ばね９４が収縮方向に撓むことによって、加えられた過剰な操作力を吸収する。
詳しくは、伝達部材８２が緩衝ばね９４を収縮方向に撓ませながら図中右向きにねじ送りで相対的に後退運動し、過剰な操作力をこの緩衝ばね９４の収縮撓み及び伝達部材８２の図中右方向の後退運動によって吸収する。
【００６８】
次に図４は、回転操作軸６６を逆方向に回転させて、混合水の温度を低温側に設定する際の作用を表したもので、図４（I）は、回転操作軸６６の逆方向の回転により弁ユニット５２全体を図１の位置から右方向に全体的に移動させて、混合水の温度を例えば３５℃程度に設定したときの状態を表している。
この状態では、主弁２０は混合水の温度の増減に応じて左右方向に微動し、混合水の温度を設定温度である例えば３５℃に自動的に調節する動作を行う。
【００６９】
図４（II）は、この状態から更に回転操作軸６６を逆方向に回転させて、温調軸３６を図中右向きに移動させ、混合水の温度を更に低温側の例えば３０℃に設定したときの状態を表している。
このとき、温調軸３６の水側ストッパ６４が、主弁２０の被当接部６２に当接した状態となって、主弁２０の自動温度調節の動作が強制停止させられた状態となる。
そして更に温調軸３６を図中右方向に移動させると、水側ストッパ６４と主弁２０の被当接部６２との当接によるストッパ作用によって、主弁２０が感温ばね４８を介さずに直接右向きに押されて、湯側弁部２４が強制的に湯側弁座２５に押し付けられ、ここにおいて図４（III）に示すように湯側弁部２４が強制全閉、水側弁部２２が強制全開状態とされる。
この図４（III）の状態の下では、湯流入通路１４からの湯の流入はなくなって、水流入通路１２から水だけが内部に流入し、吐水部から吐水される。
【００７０】
図４（III）に示す状態から回転操作軸６６が更に逆方向に回転させられると、このとき温調軸３６は、湯側弁座２５への湯側弁部２４の当接、及び主弁２０の被当接部６２への水側ストッパ６４の当接により図中右方向に移動できないため、回転操作軸６６に加えられた過剰な操作力は、緩衝機構１００の緩衝ばね９４が収縮方向に撓むことによって吸収される。
【００７１】
詳しくは、図４（III）に示しているように緩衝ばね９４を収縮方向に撓ませながら、伝達部材８２が今度は図３（III）とは逆方向の図中左方向にねじ送りで前進移動することによって、その過剰な操作力を吸収する。
【００７２】
以上示したように、この例では約３０℃超〜５０℃未満の温度範囲内で主弁２０による自動温度調節の動作が行なわれ、この温度範囲を超えた高温側，低温側では、主弁２０による自動温度調節の動作は行なわれず、それら高温側，低温側の領域では主弁２０がバイアスばね５０，感温ばね４８を介さずに温調軸３６により直接に押されて強制的に完全開弁或いは完全閉弁状態に持ち来たされてその状態に保持される。
【００７３】
以上のような本実施形態によれば、温調軸３６を軸方向に移動させて温度の設定ないし設定変更を行う際、バイアスばね５０や感温ばね４８による変形抵抗を受けず、従って軽やかに温調軸３６の移動操作、即ち温度の設定ないし変更のための操作を行うことができる。
また水側弁部２２，湯側弁部２４を完全閉弁させる際も、バイアスばね５０，感温ばね４８に影響されずに操作を行なうことができるため、操作が軽い利点を有する。
【００７４】
更に本実施形態では、上限及び下限を超えた高温側及び低温側で感温ばね４８及びバイアスばね５０が主弁２０の自動温度調節の動作のために伸びたり縮んだりする変形を繰返すのを防止してあるため、感温ばね４８及びバイアスばね５０の耐久性を向上させることができる。
【００７５】
また本実施形態では、操作力の伝達経路上に、水側弁部２２又は湯側弁部２４を水側弁座２３又は湯側弁座２５に強制的に押し付けてからの過剰な操作力を吸収する緩衝機構１００を設けてあるため、過剰な操作力によって水側弁部２２や湯側弁部２４が水側弁座２３や湯側弁座２５に過剰に強く押し付けられてしまい、このことが湯水混合弁の損傷に繋がる問題を防止することができる。
【００７６】
次に図５は本発明の他の実施形態を示している。
同図中（Ａ）は緩衝機構１００の配設位置を上記と異なった位置に設けた場合の例である。
図示のようにここでは緩衝機構１００を主弁２０自体に設けている。詳しくは、ここでは主弁２０における中心筒部３０が内筒３０-１と外筒３０-２とに分割されていて、それらの間に上記と同様の構成の緩衝機構１００が設けられている。
尚ここでは外筒３０-２に段付部９８ａ，９８ｂが設けられ、また内筒３０-１に段付部９２ａ，９２ｂが設けられている。
（Ｂ）はその緩衝機構１００の作用を表したもので、その具体的内容は上記と基本的に同様である。
即ち主弁２０の水側弁部２２が水側弁座２３に当接し、完全閉弁状態となった後において更に回転操作軸６６に正方向の回転が加えられると、緩衝ばね９４を収縮方向に撓ませながら、主弁２０の内筒３０-１が外筒３０-２に対し図中左方向に相対移動して、過剰な操作力を吸収する。
【００７７】
また湯側弁部２４が湯側弁座２５に当接した後において、更に回転操作軸６６に逆方向の回転操作力が加えられると、緩衝ばね９４を収縮方向に撓ませながら、内筒３０-１が外筒３０-２に対して図中右方向に相対移動して過剰な操作力を吸収する。
【００７８】
尚、上記実施形態では水側弁座２３，湯側弁座２５を弁ケース１０に一体に設けているが、これら水側弁座２３，湯側弁座２５を弁ケース１０とは別体に設けて、それら水側弁座２３，湯側弁座２５と弁ケースとの間に上記と同様の若しくは異なった形態の緩衝機構を設けて、そこで過剰な操作力を吸収するようになすことも可能である。
【００７９】
次に図６は本発明の更に他の実施形態を示している。
この例は、水流入通路１２，湯流入通路１４に互いに隣接した位置において弁ケース１０の径方向の内面に水側弁座１０２，湯側弁座１０４を設け、そこに環状の保持溝を設けて弾性シール部材としてＯリング１０６を嵌込状態に装着するとともに、主弁２０の水側弁部２２，湯側弁部２４を、弁ケース１０の径方向の内面に沿って閉弁到達位置及びこれを超える位置まで移動可能となし、そして水側弁部２２の径方向の外面を閉弁到達位置で水側弁座１０２のＯリング１０６に径方向に弾性接触させて、水側弁部２２と水側弁座１０２との間を水密にシールするようになし、また湯側弁部２４の外面を閉弁到達位置で湯側弁座１０４のＯリング１０６に径方向に弾性接触させて、湯側弁部２４と湯側弁座１０４との間を水密にシールするようになしたものである。
【００８０】
この例では、図６（Ｂ）に示しているように水側弁部２２，湯側弁部２４の何れも閉弁到達位置に至ってから更に図中左方向或いは右方向にそれぞれ閉弁状態を保ったまま移動可能である。
そして閉弁到達位置からの更なる移動によって、加えられた過剰な操作力を吸収する。
【００８１】
尚ここでは水側弁座１０２，湯側弁座１０４の側にＯリング１０６（或いは他の種類のシール部材であっても良い）を保持させているが、これに代えて水側弁部２２，湯側弁部２４の側にそれぞれＯリング１０４その他のシール部材を保持させ、それらＯリング１０４等のシール部材を介して水側弁部２２，湯側弁部２４を平坦形状に形成した弁ケース１０の径方向内面の水側弁座１０２，湯側弁座１０４にそれらシール部材を介して径方向に弾性接触させて、シールを行なうようになすことも場合によって可能である。
【００８２】
本実施形態においても、過剰な操作力が加わったときに水側弁部２２又は湯側弁部２４の全閉位置からの更なる移動によって、その過剰な操作力を吸収することができ、過剰な操作力を吸収するための緩衝機構を設けることを省略することが可能となる。
また過剰な操作が水側弁部２２，湯側弁部２４の移動によって吸収されるため、その際に操作が特に重くなることがないといった利点が得られる。
【００８３】
図７は本発明の更に他の実施形態を示している。
この例は、湯水混合弁をパイロット式の弁として構成した例である。
図において１０８は、水流入通路１２上に設けられたダイヤフラム弁（ピストン弁であっても良い）から成る水側弁部で、硬質の本体１１０と、これにより保持されたゴム製のダイヤフラム膜１１２とを有している。
ここで本体１１０及びダイヤフラム膜１１２はそれぞれ平面形状が円形状をなしており、そしてダイヤフラム膜１１２の外周端部が、弁ケース１０に固定されている。
【００８４】
このダイヤフラム膜１１２から成る水側弁部１０８は、図中右方向に円筒状に突出した水側弁座１１４に対し軸方向に当接して水流入通路１２を遮断して閉弁し、またこれから軸方向且つ図中右方向に離間して開弁し、水流入通路１２を開く。
そして水側弁部１０８は、その開度に応じて水流入通路１２を通じて混合室１６に流入する水の流入量を変化させる。
【００８５】
一方、湯流入通路１４上には円筒形状の筒形弁部から成る湯側弁部１１６が、弁ケース１０の内面に沿って軸方向（図中左右方向）、即ち湯流入通路１４の一部を形成する、弁ケース１０を径方向に貫通した開口１４ａを横切る方向に移動可能に設けられている。
この湯側弁部１１６は、図中右方向の移動により湯側弁座１１８に当接し閉弁することで湯流入通路１４を遮断し、また図中左方向に湯側弁座１１８から離れて開弁することで、湯流入通路１４を開く。
そして湯側弁部１１６は、湯側弁座１１８からの離間量、即ちその開度に応じて湯流入通路１４からの湯の流入量を変化させる。
【００８６】
尚、湯側弁部１１６にはシール部材としてのＯリング１２０が保持されており、このＯリング１２０によって、湯側弁部１１６と弁ケース１０の内面との間が水密にシールされている。
この湯側弁部１１６と水側弁部１０８とは、軸方向の大部分が円筒形状をなす連結部１２２にて互いに連結され、それら水側弁部１０８，湯側弁部１１６及び連結部１２２の全体が、一体の主弁１２４を構成している。
尚湯側弁部１１６と連結部１２２とは、径方向に延びるアーム１２６にて互いに結合されている。
【００８７】
水側弁部１０８の右側の背後には、背圧室１２８が形成されている。
この背圧室１２８は、水側弁部１０８に対して内部の圧力を閉弁方向の押圧力として作用させる。
背圧室１２８は、水側弁部１０８を貫通して形成された導入小孔１３０を通じて水流入通路１２と連通しており、水流入通路１２からの水が、この導入小孔１３０を通じて背圧室１２８内部に流入する。
背圧室１２８は、導入小孔１３０を通じて水流入通路１２の水が流入することで圧力を増大させる。
水側弁部１０８にはまた、その中心部に背圧室１２８内の水を混合室１６側に抜く水抜通路としてのパイロット通路１３２が、水側弁部１０８を貫通して設けられている。
【００８８】
本実施形態において、弁ユニット５２にはパイロット弁１３４が備えられている。
このパイロット弁１３４は、主弁１２４の開閉動作を制御するもので、このパイロット弁１３４が図中右向きに移動すると、背圧室１２８から混合室１６側に抜ける水の量が多くなって、背圧室１２８の圧力が減少する。
すると背圧室１２８の圧力に対し、水流入通路１２から流入する水の圧力が高くなって、その増大した圧力により水側弁部１０８、即ち主弁１２４が図中右方向に移動し、水側弁部１０８の開度が大、湯側弁部１１６の開度が小となって、混合水の温度が低下する。
【００８９】
この主弁１２４は、パイロット弁１３４が更に図中右方向に移動すると、圧力バランスを取るようにしてパイロット弁１３４に追従して図中右方向に移動し、水側弁部１０８の開度を更に大きく、また湯側弁部１１６の開度を更に小さくして、混合水温度を更に低下させる。
【００９０】
一方、逆にパイロット弁１３４が図中左向きに移動すると、パイロット弁１３４の開度が小となって背圧室１２８から抜ける水の量が少なくなり、背圧室１２８の圧力が増大して主弁１２４を図中左向きに押す力が強くなる。
これにより主弁１２４が図中左向きに、即ちパイロット弁１３４の図中左向きの移動に追従して同方向に移動する。ここにおいて水側弁部１０８の開度が小、湯側弁部１１６の開度が大となって、混合水の温度が上昇する。
そしてパイロット弁１３４が更に図中左向きに移動すると、主弁１２４がこれに追従して移動し、混合水温度を更に上昇させる。
【００９１】
弁ユニット５２の温調軸３６には、その小径部３８にスリーブ１３６が、小径部３８に沿って軸方向に移動可能に外嵌状態に遊嵌されている。
このスリーブ１３６の図中右端側に、上記のパイロット弁１３４が一体に構成されている。
この温調軸３６には、スリーブ１３６を間にしてその左側に感温ばね４８が、また右側にバイアスばね５０が外嵌状態に嵌挿され組み付けられている。そして感温ばね４８がスリーブ１３６に対して図中右向きに、即ちパイロット弁１３４を開弁させる方向に、つまり水側弁部１０８を開弁させる方向に付勢力を及ぼしている。
【００９２】
またバイアスばね５０が、スリーブ１３６に対しパイロット弁１３４を閉弁させる方向に、つまり水側弁部１０８を閉弁させる方向に、感温ばね４８とは逆向きに付勢力を及ぼしている。
スリーブ１３６は、これら感温ばね４８の付勢力とバイアスばね５０の付勢力とが釣り合う位置に温調軸３６に保持される。
【００９３】
尚、温調軸３６の大径部４２には径方向外向きの係合突部１４４が一体に設けられており、この係合突部１４４が弁ケース１０の内周面の係合溝１４６に軸方向に摺動可能に嵌合され、温調軸３６の回転を規制している。
またこの実施形態においても、感温ばね４８とバイアスばね５０の合計の長さは一定に保持される。
【００９４】
温調軸３６には、小径部３８の図中右側の端部と、左側の端部とに拡大径部１４０が形成されており、それら拡大径部１４０の端部に湯側ストッパ６０，水側ストッパ６４が一体に構成されている。
またスリーブ１３６には、対応する被当接部５８，６２がそれぞれ設けられている。
尚１３８は、図２のフランジ４４に相当する大径部である。
【００９５】
スリーブ１３６には更に、図中左端側に上記連結部１２２を引っ掛けてスリーブ１３６の図中右向きの移動により主弁１２４を強制的に右向きに移動させる引掛部１４２が形成されている。
この引掛部１４２は次のように働く。即ち温調軸３６の水側ストッパ６４がスリーブ１３６の被当接部６２に当接した後、更に温調軸３６が図中右方向に移動させられると、引掛部１４２が連結部１２２を引っ掛けてこれを共に強制的に右方向に移動させる。即ち主弁１２４を強制的に右方向に移動させ、湯側弁部１１６を全閉方向に、水側弁部１０８を全開方向に強制的に移動させる。
【００９６】
一方湯側ストッパ６０は、温調軸３６が図中左方向に移動したとき、即ち混合水温度を高める方向に移動したとき、その途中でスリーブ１３６の被当接部５８に当接して、以後はスリーブ１３６を温調軸３６の図中左向きの移動とともに強制的にこれを同方向に、つまり水側弁部１０８を閉じ、湯側弁部１１６を開く方向に強制的に移動させる。
即ちこの例では、湯側ストッパ６０及び水側ストッパ６４が、温調軸３６の図中左向き及び右向きの移動時にある位置からスリーブ１３６を介してパイロット弁１３４を強制移動させる。
【００９７】
詳しくは、湯側ストッパ６０及び水側ストッパ６４が、温調軸３６の図中左右方向の移動時に、ある位置で被当接部５８又は６２を介して間接にパイロット弁１３４に当って、以後はパイロット弁１３４を感温ばね４８やバイアスばね５０を介さずに直接にこれを移動させる。
尚、１５０は温調軸３６の小径部３８とスリーブ１３６との間を水密にシールする環状のシール部材である。
【００９８】
この実施形態においてパイロット弁１３４は、被当接部５８に対して湯側ストッパ６０が当接する位置、及び水側ストッパ６４が被当接部６２に対して当接する位置の間において、混合水温度に感応して付勢力を増大させる感温ばね４８によって温調軸３６の小径部３８上で左右方向に位置を微動させ、これに主弁１２４を追従して微動させることにより、混合水温度を自動調節させる。
【００９９】
一方温調軸３６が図中左方向、つまり混合水温度を上昇させる方向に大きく移動させられると、あるところで湯側ストッパ６０が被当接部５８に当接することによって、以後はバイアスばね５０を介さずに直接パイロット弁１３４が湯側ストッパ６０に押されて図中左方向に移動し、水側弁部１０８を水側弁座１１４に強制的に押し付けて全閉させ、また湯側弁部１１６を強制全開させる。
【０１００】
逆に温調軸３６が図中右方向、即ち混合水温度を低下させる方向に大きく移動させられると、その途中で水側ストッパ６４が被当接部６２に当接して、ストッパ作用でパイロット弁１３４を感温ばね４８を介さずに押し、主弁１２４をパイロット弁１３４のパイロット作用により図中右向きに移動させる。
【０１０１】
尚、温調軸３６は図中左向きに大きく移動したとき、最終的にパイロット弁１３４が水側弁部１０８に当って、これを水側弁座１１４に対し強制的に押し付ける。
また温調軸３６が図中右向きに大きく移動したとき、最終的にスリーブ１３６の引掛部１４２が主弁１２４を引っ掛けて湯側弁部１１６を湯側弁座１１８に強制的に押し付けた状態となる。
このような状態で回転操作軸６６に過剰な操作力が加えられると、上記実施形態と同様にして緩衝機構１００の緩衝ばね９４が撓むことによって、その過剰な操作力が吸収される。
この実施形態においても、上記実施形態と同様の効果を得ることができる。
【０１０２】
図８及び図９は本発明の更に他の実施形態を示している。
この例では、主弁２０が水側の弁のみならず湯側の弁もまたパイロット式の弁とされている。
詳しくは、水側弁部１０８のみならず湯側弁部１５４もまたダイヤフラム弁から成っている。
このダイヤフラム弁から成る湯側弁部１５４は、平面形状が円形状の硬質の本体１１０とダイヤフラム膜１１２とを有しており、そのダイヤフラム膜１１２の外周端部が弁ケース１０に固定されている。
【０１０３】
この湯側弁部１５４の図中左側の背後には背圧室１５６が形成されている。
この背圧室１５６は、その内部の圧力を湯側弁部１５４に対する閉弁方向の押圧力として作用させる。
湯側弁部１５４には、これを貫通して湯流入通路１４からの湯を背圧室１５６内に流入させる導入小孔１５８が設けられており、またその中心部には背圧室１５６内の湯を混合室１６側へと抜くパイロット通路１６０が湯側弁部１５４を貫通して設けられている。
【０１０４】
この湯側弁部１５４は、後述の湯側パイロット弁１７４の図中左右方向の進退移動に追従して進退移動し、湯流入通路１４の開度を変化させる。
尚、この湯側弁部１５４は湯側弁座１６２への当接によって閉弁状態となり、またこれから図中左方向に離間することによって開弁状態となる。またその開弁量に応じて湯流入通路１４からの湯の流入量を変化させる。
【０１０５】
この実施形態では、温調軸３６が、外径が一様な断面円形の中心軸体１６４と、これに外嵌された図中右側の大径のスリーブ１６６-１，更に図中左側の相対的に小径をなすスリーブ１６６-２とを備えて構成されている。
ここで大径のスリーブ１６６-１は止め輪１６６にて図中右端の位置が規定されており、また左側のスリーブ１６６-２は図中左端の位置が止め輪１６８にて規定されている。
【０１０６】
この実施形態ではまた、図７におけるスリーブ１３６が軸方向に分割された右側のスリーブ１３６-１と左側のスリーブ１３６-２と、更にそのスリーブ１３６-２に外嵌された軸長の短いスリーブ１３６-３とを含んで構成されている。
ここでスリーブ１３６-３は、図中右端の位置が止め輪１７０にて規定されている。
【０１０７】
スリーブ１３６-１には水側パイロット弁１７２が一体に構成されており、またこのスリーブ１３６-１と温調軸１３６における大径のスリーブ１６６-１との間にはバイアスばね５０が介装されており、バイアスばね５０の付勢力がスリーブ１３６-１に対して、詳しくは水側パイロット弁１７２及び後述の湯側パイロット弁１７４に対して、図中左向き即ち水側弁部１０８の開度を小とし、また湯側弁部１５４の開度を大とする方向に及ぼされている。
【０１０８】
一方上記スリーブ１６６-２と１３６-３との間には感温ばね４８が介挿され、スリーブ１３６-３に対して、更にはこのスリーブ１３６-３及びスリーブ１３６-２を介して水側パイロット弁１７２及び後述の湯側パイロット弁１７４に対し、その付勢力が図中右向き，即ちバイアスばね５０による付勢方向とは逆方向に及ぼされている。
【０１０９】
スリーブ１３６-２の図中左端部には湯側パイロット弁１７４が一体に構成され、かかる湯側パイロット弁１７４が、スリーブ１３６-２の移動と一体に図中左右方向に進退移動するようになっている。
この湯側パイロット弁１７４は、湯側弁部１５４を貫通するパイロット通路１６０の開度を変化させて、湯側弁部１５４を湯側パイロット弁１７４に追従して左右方向に移動させる。
尚この湯側パイロット弁１７４と水側パイロット弁１７２とのそれぞれの外周面には環状のシール部材１７６が装着されている。
【０１１０】
また図８の部分拡大図に示しているように、温調軸３６における中心軸体１６４と、これに外嵌された各スリーブとの間にはクリアランス１７８が生ぜしめられている。
尚この実施形態においても、温調軸３６における図中右側の大径のスリーブ１６６-１に湯側ストッパ６０が、また図中左側のスリーブ１６６-２に水側ストッパ６４が設けられている。
またスリーブ１３６-１に湯側ストッパ６０に対応した被当接部５８が、スリーブ１３６-３に水側ストッパ６４に対応した被当接部６２が備えられている。
【０１１１】
次に本実施形態の作用を説明する。
図８は水側弁部１０８，湯側弁部１５４の何れもが開弁した状態を表しており、従ってこのとき水側パイロット弁１７２，湯側パイロット弁１７４のそれぞれは水側のパイロット通路１３２，湯側のパイロット通路１６０をそれぞれ開いた状態にある。
【０１１２】
この状態で温調軸３６が（即ち弁ユニット５２が）図中左方向に移動すると、水側パイロット弁１７２，湯側パイロット弁１７４が温調軸３６とともに図中左方向に移動し、これによりそれら水側パイロット弁１７２，湯側パイロット弁１７４にて開度が制御される水側弁部１０８，湯側弁部１５４が、それぞれ左方向に移動して、水側弁部１０８の開度が小，湯側弁部１５４の開度が大となり、混合水の温度が高温側に設定変更される。
この状態で混合室に水と湯とが流入すると、感温ばね４８が混合水の温度に感応して付勢力を増減させることで水側パイロット弁１７２，湯側パイロット弁１７４が図中左右方向に微動し、水側弁部１０８，湯側弁部１５４をそれらに追従して図中左右方向に微動させる。即ち主弁２０を微動させ、水側弁部１０８，湯側弁部１５４の開度を変化させる。これにより混合水の温度を設定温度に自動調節させる。
【０１１３】
また温調軸３６を（即ち弁ユニット５２を）図中右方向に移動させて水側パイロット弁１７２及び湯側パイロット弁１７４をともに右方向に移動させ、設定温度を低温側に変更すると、その位置において感温ばね４８の付勢力とバイアスばね５０の付勢力とによって、主弁２０が図中左右方向に微動して、混合水の温度を設定変更後の温度に自動調節する。
【０１１４】
尚この実施形態において、湯側ストッパ６０，水側ストッパ６４の作用は基本的に上記実施形態と同様である。
詳しくは、温調軸３６を図中左方向に大きく移動させると、ある位置で湯側ストッパ６０がバイアスばね５０を介さずに被当接部５８に当接して主弁２０における自動温度調節の動作を停止させた上で、水側パイロット弁１７２，湯側パイロット弁１７４を図中左向きに押し、水側弁部１０８を強制閉弁させ、また湯側弁部１５４を強制開弁させる。
【０１１５】
また逆に温調軸３６を図中右方向に大きく移動させると、ある位置で水側ストッパ６４が被当接部６２に当接して、水側パイロット弁１７２及び湯側パイロット弁１７４を感温ばね４８を介さずに直接右向きに押して、主弁２０における自動温度調節の動作を停止させた上で湯側弁部１５４を強制閉弁、水側弁部１０８を強制開弁させる。
従ってこの実施形態においても上記と同様の効果を奏することができる。
【０１１６】
以上本発明の実施形態を詳述したがこれはあくまで一例である。
例えば本発明においては、操作力の伝達部材を複数設けて何れか隣接する伝達部材間にまたがって緩衝機構を設け、その緩衝機構で過剰な操作力を吸収するようになすことができるなど、本発明はその趣旨を逸脱しない範囲において種々変更を加えた形態で構成可能である。
【図面の簡単な説明】
【０１１７】
【図１】本発明の一実施形態である湯水混合弁の断面図である。
【図２】同実施形態の湯水混合弁における弁ユニットを示した図である。
【図３】同実施形態の湯水混合弁の作用説明図である。
【図４】図３に続く作用説明図である。
【図５】本発明の他の実施形態の図である。
【図６】本発明の更に他の実施形態の図である。
【図７】本発明の更に他の実施形態の図である。
【図８】本発明の更に他の実施形態の図である。
【図９】図８の実施形態の要部を各部品に分解して示した斜視図である。
【図１０】従来の湯水混合弁の図である。
【符号の説明】
【０１１８】
１０，１２４  弁ケース
２０  主弁
２２，１０８  水側弁部
２３，１０２，１１４  水側弁座
２４，１１６，１１５  湯側弁部
２５，１０４，１１８，１６２  湯側弁座
２６，１０６，１２０  Ｏリング
３６  温調軸
４８  感温ばね
５０  バイアスばね
５２  弁ユニット
６０  湯側ストッパ
６４  水側ストッパ
９４  緩衝ばね
１００  緩衝機構
１３４  パイロット弁
【図１】
2008115890.tif 000003
【図２】
2008115890.tif 000004
【図３】
2008115890.tif 000005
【図４】
2008115890.tif 000006
【図５】
2008115890.tif 000007
【図６】
2008115890.tif 000008
【図７】
2008115890.tif 000009
【図８】
2008115890.tif 000010
【図９】
2008115890.tif 000011
【図１０】
2008115890.tif 000012